(57)【要約】【課題】サッシの障子枠を操作ハンドルの回転で作動アームを介してリンク機構を介して開閉するサッシの操作ハンドル構造の改良に関する。【解決手段】  リンク機構を作動させる作動アームにはボルト型回転軸が設けられており、  操作ハンドルは、前記ボルト型回転軸に嵌合し、切替部の操作で回転方向を正転方向または逆転方向に切替可能に回転させるラチェット機能と、該ラチェット機構を回転させるハンドル部とを有していることを特徴とするサッシの操作ハンドルである。【選択図】図１
2020007782.tif 000002
【特許請求の範囲】
【請求項１】
操作ハンドルの回転で作動アームを枢動させサッシの窓枠と框の間に連結されたリンク機構を介して前記框を開閉方向に枢動させると共に、前記窓枠で框より室内側に網戸の取付溝を設けたサッシ窓枠構造において、
網戸が、網本体の周縁に弾性縁部を有して網戸の取付溝に嵌合しており、
該網戸の弾性縁部の室内側の面に網戸取外し片を設けて窓枠側に突出させており、
窓枠には、閉じた際に窓枠と同一面となる開閉自在な外蓋片を有し、前記網戸取外し片を窓枠の内部に収納する取外し片収納部が設けられると共に、
前記操作ハンドルには、前記リンク機構を作動させる作動アームに設けられたボルト型回転軸に嵌合し、切替部の操作で回転方向を正転方向または逆転方向に切替可能に回転させるラチェット機能と、該ラチェット機構を回転させるハンドル部とを有しており、
前記窓枠には、操作ハンドルの不使用時に少なくとも操作ハンドルの上面が障子枠と同一面となる収納用の凹部または収納時に上面開口を塞いで上面が窓枠と同一面となる外蓋部を有する操作ハンドル収納部が形成されてなることを特徴とするサッシ窓枠構造。
【請求項２】
前記操作ハンドルが、窓開口部に固定される窓枠または窓枠に連結された基台部に設けられており、前記窓枠または基台部に操作ハンドルを没入させる凹部からなる収納部が設けられており、前記操作ハンドルが前記収納部に出没可能な昇降機構を有していることを特徴とする請求項１に記載のサッシ窓枠構造。
【請求項３】
前記操作ハンドルが、窓開口部に固定される窓枠または窓枠に連結された基台部に設けられており、前記窓枠または基台部に操作ハンドルを没入させる操作ハンドル収納部が設けられており、前記操作ハンドルがグリップ部分が折れ曲って窓枠上に突出し、該突出したグリップ部分を回転操作しうることを特徴とする請求項１に記載のサッシ窓枠構造。
【請求項４】
前記操作ハンドルを凹部内に押し下げた際に押し下げられた収納姿勢に保持する収納保持手段と、該収納保持手段の拘束を解いて操作ハンドルを凹部より上方に押し上げる付勢手段と、操作ハンドルを使用高さ位置に保持する高さ保持手段とが設けられていることを特徴とする請求項１または２に記載のサッシ窓枠構造。
【発明の詳細な説明】
【技術分野】
【０００１】
本発明は、開閉窓の下端側を室外方向に枢動して開くことができるサッシ窓枠構造であって、窓や網戸の不使用時に、窓枠をフラット化することができるサッシ窓枠構造に関する。
【背景技術】
【０００２】
サッシなどの開閉窓の下端側を室外方向に枢動して開くことができる窓開閉装置として、特開２００８−２９１４６７号では、窓枠に取り付けられた障子を室外側へ開くことができる窓を開閉する窓開閉装置であって、前記窓枠の下枠若しくは上枠又は縦枠に取り付けられた垂直軸又は水平軸まわりに揺動し、室外方向水平面内又は垂直面内に延びる第１揺動アームと、前記下枠若しくは上枠又は縦枠により基端が垂直軸又は水平軸まわりに揺動可能に支持された第２揺動アームと、該第２揺動アームに対して長手方向にスライド可能にガイド手段により支持されて該アームから離れる方向に延び、遊端に前記障子を操作する操作部が設けられたスライドアームとを備え、前記第１揺動アームの遊端と前記スライドアームの基端とを枢結してなる構成が開示されている。
上記窓開閉装置では、窓枠の下枠に固定されたブラケットの略中央に固定された基体に支持されて、略前後方向（室内外方向）に延びる操作軸と、該操作軸の後側（室内側）に連結されたオペレータハンドルとを有しており、オペレータハンドルを回転軸を中心にして円運動をさせるため、基体の上下に回転させる必要があり、基体の高さレベルを中心として上下に広い範囲の回転軌跡を描くことになり、基体を幅広く設定する必要があり、省スペースを図ることができないし、デザイン上も問題があった。
同様に、網戸を固定するレール状の溝は、例えば特開２０１６−１６６５０１号に見られるように、窓枠の開閉窓を取り付ける位置より内側（室内側）に設けられている。
そして、網戸は網本体の周囲に固着されたゴムの枠体を前記溝に押し込んでサッシに固定している。
ここで、網戸は前記溝から網本体を取り外すために、外側（室外側）に突出するように抜き取り片を突出させており、該抜き取り片を引っ張って前記網戸のゴムの枠体を溝から外して取り外すようになっている。
これは内側に突出させると、サッシの窓枠上に露出することになるので、下枠などの枠体がプラット面とならず、美観上も問題があるためであった。
【先行技術文献】
【特許文献】
【０００３】
【特許文献１】特開２００８−２９１４６７号公報
【特許文献２】特開２０１６−１６６５０１号公報
【発明の概要】
【発明が解決しようとする課題】
【０００４】
この発明が解決しようとする問題点は、サッシの窓枠に設けられる操作ハンドルと、網戸の抜き取り片を収納して窓枠をフラット化することができるサッシ窓枠構造を提供することにある。
【課題を解決するための手段】
【０００５】
上記課題を解決するために、請求項１の発明では、
操作ハンドルの回転で作動アームを枢動させサッシの窓枠と框の間に連結されたリンク機構を介して前記框を開閉方向に枢動させると共に、前記窓枠で框より室内側に網戸の取付溝を設けたサッシ窓枠構造において、
網戸が、網本体の周縁に弾性縁部を有して網戸の取付溝に嵌合しており、
該網戸の弾性縁部の室内側の面に網戸取外し片を設けて窓枠側に突出させており、
窓枠には、閉じた際に窓枠と同一面となる開閉自在な外蓋片を有し、前記網戸取外し片を窓枠の内部に収納する取外し片収納部が設けられると共に、
前記操作ハンドルには、前記リンク機構を作動させる作動アームに設けられたボルト型回転軸に嵌合し、切替部の操作で回転方向を正転方向または逆転方向に切替可能に回転させるラチェット機能と、該ラチェット機構を回転させるハンドル部とを有しており、
前記窓枠には、操作ハンドルの不使用時に少なくとも操作ハンドルの上面が障子枠と同一面となる収納用の凹部または収納時に上面開口を塞いで上面が窓枠と同一面となる外蓋部を有する操作ハンドル収納部が形成されてなることを特徴とする。
請求項２の発明では、
前記操作ハンドルが、窓開口部に固定される窓枠または窓枠に連結された基台部に設けられており、前記窓枠または基台部に操作ハンドルを没入させる凹部からなる収納部が設けられており、前記操作ハンドルが前記収納部に出没可能な昇降機構を有していることを特徴とする。
請求項３の発明では、
前記操作ハンドルが、窓開口部に固定される窓枠または窓枠に連結された基台部に設けられており、前記窓枠または基台部に操作ハンドルを没入させる操作ハンドル収納部が設けられており、前記操作ハンドルがグリップ部分が折れ曲って窓枠上に突出し、該突出したグリップ部分を回転操作しうることを特徴とする。
請求項４に記載の発明では、
前記操作ハンドルを凹部内に押し下げた際に押し下げられた収納姿勢に保持する収納保持手段と、該収納保持手段の拘束を解いて操作ハンドルを凹部より上方に押し上げる付勢手段と、操作ハンドルを使用高さ位置に保持する高さ保持手段とが設けられていることを特徴とする。
【発明の効果】
【０００６】
本発明の操作ハンドルは、ラチェット機構を利用するので、操作のために回転角度を小さくすることができるので、ハンドルが、サッシの枠や枠に一体に形成された基板をコンパクトに形成することができ、ハンドルの回転操作にも支障が生じることがない。
また、操作ハンドルを使用しない場合には、サッシの枠や基板内に没入させることができるので、サッシの枠回りに突出することがなく、広々としたデザインを自治源でき、例えばサッシ枠で障子枠を合わせて隠すようなフレームインのデザインを有するサッシ窓枠構造においても、そのデザインを一層向上させることができる。
【図面の簡単な説明】
【０００７】
【図１】サッシ窓枠構造の斜視図である。
【図２】同操作ハンドルの使用状態を示す斜視図である。
【図３】基台部にハンドル収納用の凹部を設けたサッシ窓枠構造の斜視図である。
【図４】同ハンドルを収納した状態の斜視図である。
【図５】作動アームとリンク機構の一例を示す説明図である。
【図６】作動アームとリンク機構の他の一例を示す説明図である。
【図７】ハンドルの出没状態を示す説明図である。
【図８】別のハンドルの出没状態を示す説明図である。
【図９】ハンドルの収納部内での保持部材を示す断面図である。
【図１０】（ａ）は異なる操作ハンドルの平面図、（ｂ）は同使用状態を示す断面図である
【図１１】網戸の取付状態を示す斜視図である。
【図１２】網戸取外し片を取外し片収納部に収納した状態の断面図である。
【発明を実施するための形態】
【０００８】
以下に、この発明のサッシ窓枠構造の窓枠にフラットとなるように網戸の取外し片収納部と操作ハンドル収納部とが設けられる好適実施例について図面を参照しながら説明する。
【実施例１】
【０００９】
まず、サッシの窓枠（以下、サッシ枠という）に操作ハンドル収納部を設けた構造について説明する。
図１〜図２、図５に示す実施例１の開閉窓となるサッシ１は、窓の開口部に固定される正方形または長方形のサッシ枠３と、該サッシ枠３に沿って窓ガラス２を囲む障子枠（框）４を取付け、該障子枠４を、サッシ枠３との間に連結されたリンク機構５を介して開閉する構造を有している。
本実施例では、障子枠４の自由端側をサッシ枠３から離間させて障子枠４を開くリンク機構５と、該リンク機構５を操作ハンドル８に連結され操作ハンドル８の操作で開方向に変位させる作動アーム６とを有しており、図示例ではサッシは障子枠４の下枠４０が室内側から室外側へ開くすべり出し窓の構造からなっている。
【００１０】
この発明では、サッシの開閉は、図示例に限定されず、縦すべり出し窓、外倒し窓、内倒し窓、上げ下げ窓、オーニング窓、ルーバー窓などの開閉するサッシ窓など公知のサッシ窓枠構造が含まれる。
【００１１】
前記サッシ１は、窓の開口部に固定される四角枠状のサッシ枠３と、サッシ枠３に開閉自在に取り付けられて窓ガラス２の四周を囲んで窓ガラス２を支持する障子枠４とからなっており、サッシ枠３またはサッシ枠３に一体に固定された基台部３’に窓開閉用の操作ハンドル８を設けた構造となっている。
図示例のすべり出し窓の場合は、サッシ枠３の下枠３０上に操作ハンドル８が取り付けられている。
【００１２】
一方、サッシの障子枠４は、開閉側の枠（下枠４０）に先端が枢着され、基端がサッシ枠の下枠３０に枢着される開閉用のリンク機構５と、該リンク機構５に一端が枢着されて作動させる作動アーム６とからなり、該作動アーム６の基端には、ボルト型回転軸６１が一体に設けられている。
このボルト型回転軸６１は操作ハンドル８によって回転される。
【００１３】
操作ハンドル８は、ボルト型回転軸６１に係合して回転軸６１を回転させるラチェット機構８０と、該ラチェット機構８０を操作するハンドル８１とからなっており、ハンドル８１の回転でボルト型回転軸６１をサッシを開く正転方向または閉じる逆転方向に回転することができるようになっている（図５参照）。
【００１４】
前記リンク機構５は、図示例の場合、基端がサッシ枠の下枠３０に枢着され、先端が障子枠４の下枠４０に枢着されている。
そして、作動アーム６は、先端がリンク機構５に枢着され、基端は前記ボルト型回転軸６１を介して操作ハンドル８に連動可能に連結されている。
従って、リンク機構５は、操作ハンドル８によって枢動する作動アーム６の変位によって、リンク機構５をサッシを開閉する方向に伸張または短縮させて前記障子枠４の下枠４０を室外方向または室内方向に向かって平行移動させる。
【００１５】
サッシ枠３の下枠３０には、作動アーム６の基端が枢着されており、該枢軸が前記ボルト型回転軸６１となっている。
図示例では、上記ボルト型回転軸６１は、上向きに略垂直に伸びている。
本実施例では、障子枠４の上枠４１がサッシ枠３の上枠３１に枢着され、障子枠４の上枠４０が自由端となる構造からなるが、逆に障子枠４の上枠４１側が開く場合には、障子枠４の下枠４０がサッシ枠３の下枠３０に枢着され、障子枠４の上枠４１が自由端となり、リンク機構５はサッシ枠３の上枠３１と障子枠４の上枠４１との間に介設される（図示せず）。
【００１６】
この場合、操作ハンドル８は、サッシ枠３の上枠３１に逆向きに装着してもよいが、サッシ枠３の下枠３０や左右いずれかの側枠に装着し、作動アーム６との間に介設されて操作ハンドル８の動きを作動アーム６に向きを変えて伝動する中継リンク（図示省略）を設けてもよい。
また、リンク機構５は、サッシ枠３に対する障子枠４の開閉方向に対応するものであればよく、平行リンク機構に限らず、右または左へドア式に枢動するリンク機構であってもよい。
【００１７】
また、リンク機構５と操作ハンドル８の位置は、同一レベルに配置されなくてもよく、向きや高さが異なる場合には、前述のように、作動アーム６と操作ハンドル８の間に操作ハンドル８の動きを作動アーム６ないしリンク機構５に高さや向きを変えて伝動する中継リンクを介設してもよい。
前記作動アーム６の先端は、リンク機構５に連動可能に連結されるが、図示例では、所定のリンク部材５’の中途位置に形成された長孔５１に沿って摺動自在に枢着されている。
【００１８】
このようにこの発明でリンク機構と作動アームの枢着は、長孔内で移動しながら枢着される場合を含んでいる。
そして、上記リンク部材５’の先端は、サッシ４の障子枠４に固定された長孔を有する連結金具４５の長孔４６にスライド可能に枢着されている。
これにより、作動アーム６のボルト型回転軸６１を基点にした枢動は、枢動変位するリンク部材５’を介して障子枠４の下枠４０を平行移動させることができる。
【００１９】
図６に示すリンク機構５は、作動アーム６と中途位置で交差するパンタグラフ形状となっている。
この場合も前記実施例と同様に作動アーム６のボルト型回転軸６１を基点にした枢動は、リンク機構５を介してサッシ４の可動枠４１を平行移動させることができる。
この発明のリンク機構５は、サッシ４の障子枠４の自由端側を平行移動または枢動により窓を開閉する方向に変位することができればよく、公知の１または複数のリンク部材を用いたリンク機構を用いることができる。
【００２０】
本実施例で、操作ハンドル８は、前述のように、ボルト型回転軸６１を操作する一種のラチェットハンドル構造からなっている。
操作ハンドル８は、前記作動アーム６のボルト型回転軸６１と噛合する係合受部と一体のドライブギアとを有しており。該ドライブギアはクロウ（爪部）によって１個所または２個所で支持されており、ドライブギアの回転方向が一方向に拘束され逆進できない公知構成からなっているので説明を省略する。
ラチェット機構８０の一例を示せば、実開平６−６６６号公報、特開２００２−３０７３１８号公報などの公知構造が知られている。
【００２１】
また、操作ハンドル８には、逆進ロック方向を切り替える公知のクロウを切り替える切替レバー８ａが設けられており、該切替レバー８ａを切り替えることで、前記クロウのロックの向きを変え、ドライブギアの回転方向を正転方向および逆転方向に切り替えて回転させることができる。
ここで、操作ハンドル８は、前述のように作動アーム６のボルト型回転軸６１の回転方向に対応して回転するように、操作ハンドル８の係合受部およびドライブギアが配置されている。
【００２２】
上記構成からなっているので、使用者は、操作ハンドル８を前記ボルト型回転軸６１を中心に水平方向に回転させることで、作動アーム６を介してリンク機構５を変位させてサッシの障子枠４の下枠４０を室外方向に横滑りさせてサッシを開くことができる（図２参照）。
このように、リンク機構５は、サッシ窓の開く方向に対して伸縮するリンク機構または枢動するリンク機構５であり、先端は障子枠４の開く（自由端となる）側の枠に枢着され、作動アーム６は上記リンク機構５を開閉方向に変位するように枢動し、該作動アーム６の基端の枢軸となるボルト型回転軸６１に直接にまたは中継する伝動リンクを介して操作ハンドル８が連結される。
【００２３】
前記操作ハンドル８は、ボルト型回転軸６１に係合する側がラチェット機構８０となっているので、ハンドル８１側を３６０度回転させる必要がない。
即ち、操作ハンドル８は任意の角度だけ部分的にサッシを開く方向に回転させることができる。
【００２４】
そして、操作ハンドル８はラチェット機構８０からなるので、ハンドル８１の回転方向とは逆方向の回転は前記回転軸６１に伝わらず、ロックされているので、ハンドルをまた戻して同じ方向に回転させればよいので、操作ハンドルの回転角度は３６０度とすることなく、任意の角度ですみ、サッシ回りの造作物と操作ハンドル８とが干渉することなく、サッシを開くことがきる。
【００２５】
同様に、操作ハンドル８の回転方向の切替レバー８ａを切り替えて、ハンドル８１を逆転方向に回転することで、今度はサッシを閉じる逆方向に回転させることができ、作動アーム６は逆方向に枢動してサッシの障子枠を元の位置に戻して窓を閉じることができる。
【００２６】
この発明では更に、窓を閉じたり、開いた入りして状態を維持するような操作ハンドル８を使用しない場合には、そのままの姿勢で、操作ハンドル８を、サッシ枠３や基台部３０’などのハンドル８を配置した個所に凹状の操作ハンドル収納部１０を設け、該操作ハンドル収納部１０に没入させることができる。
【００２７】
該操作ハンドル収納部１０は、操作ハンドル８全体を完全に没入できる凹部からなっている。
即ち、図示例では、サッシ枠３の下枠３０上に、操作ハンドル８が、障子枠４の下枠４０と平行の向きとなるように前記下枠３０に前記操作ハンドル収納部１０が形成されている(図３、図４参照)。
【００２８】
即ち、サッシ枠３の下枠３０には、使用時には下枠３０上に突出し、不使用時には操作ハンドル収納部１０内に没入させることができるように操作ハンドル８が設置されている。
前記操作ハンドル収納部１０の上面には操作ハンドル収納部１０の開口を塞ぐ方向に付勢されたカバー(図示省略）を設けてもよい。
このカバーは、操作ハンドルを押し込む際にハンドルの下降によって内側に折れ曲がって操作ハンドル収納部１０の開口を空け、ハンドルの上昇によって付勢力で復帰し操作ハンドル収納部１０の開口を塞ぐ構成でよい。
そして、作動アーム６のボルト型回転軸６１または操作ハンドル８には上下に昇降する出没機構が設けられていることが好ましい。
【００２９】
出没機構は、前記回転軸６１は操作ハンドル収納部１０の下方に配置されており、操作ハンドル８だけが上下に摺動して出没する構造、回転軸６１と操作ハンドル８が共に上下に摺動して出没する構造など、要するに回転軸６１も操作ハンドル８も操作ハンドル収納部１０の上には突出しない構造などであればよい。
【００３０】
例えば、図７に一例を示すように、前記作動アーム６およびこれに固定された回転軸６１を上下方向に摺動可能とすると共に、操作ハンドル８の使用位置を上限とする拘束部材７を設けて上向きに付勢手段Ｓで付勢して取付けてある。
図示例では、操作ハンドル収納部１０が、操作ハンドル８のハンドル部分を収納する操作ハンドル収納部本体１１と、該操作ハンドル収納部本体１１の先端に連設されて段違い状に深くなる付勢収納部１２とからなっている。
【００３１】
該付勢収納部１２は、作動アーム６や回転軸６１を昇降可能に収納し、その下方に、上端が前記作動アーム６又は回転軸６１に掛け止められ、下端がに付勢収納部１２の底部に固定された付勢手段Ｓが収納されている。
なお、作動アーム６の摺動が規制されないように付勢収納部１２の一側には開口１３が形成されている。
この場合には、操作ハンドル８を実線で示す使用位置から押し下げることで、作動アーム６も連動して下降し、操作ハンドル８を操作ハンドル収納部１０の収納部本体１１の凹部に収納することができる。
【００３２】
図８では、作動アーム６の位置（高さ）は変わらず、ボルト型回転軸６１と操作ハンドル８が一体的に上下に摺動する構造としている。
この場合、回転軸６１は操作ハンドル収納部１０の先端の付勢収納部１２に配置されておりスプリングなどの付勢手段Ｓで上向きに付勢されている。
【００３３】
操作ハンドル８は、回転軸６１によって使用位置方向に付勢される。
上記回転軸６１は断面が多角形の軸からなっており、作動アーム６は回転軸６１との連結部分を回転軸６１の断面多角形と整合する多角形の孔として、回転軸６１だけを上下に摺動可能とし、回転軸６１の回転方向にのみ連動しする構成となっている。
また、図示例では、前記回転軸６１の下方に掛止部６２が形成されており、付勢収納部１２の底部に設けられたスプリングＳの上端が前記掛止部に掛止められて回転軸６１を上方に付勢している。
操作ハンドル８の出没構造は、その他、公知の出没構造を用いてもよい。
【００３４】
なお、操作ハンドル収納部１０に収納された操作ハンドル８を収納位置に保持するための係脱可能な保持手段９を操作ハンドル収納部１０の周壁に設けることが好ましい。
図９で例示する保持手段９は、一方が、操作ハンドル収納部１０の側壁にプランジャ９１を埋設し、先端のボール９２だけが僅かに突出する構成を有しており、他方が、操作ハンドル８の操作ハンドル収納部１０への収納時に前記ボール９２と整合する位置に、前記ボール９２を係合する略半球状の凹部９３からなっている。
【００３５】
これにより、操作ハンドル８を操作ハンドル収納部１０に押し込むと、前記プランジャ９１のボール９２が下降するハンドル８の外周面によって操作ハンドル収納部１０の奥側に押し込まれ、前記ハンドル８の凹部９３と整合すると付勢力で凹部９３内に突入して係合するので、操作ハンドル８への上向きの付勢力が抑えられてハンドル８が上昇しないようにロックされる。
【００３６】
ハンドル８使用時には、前記操作ハンドル８をプランジャ９１の付勢力に抗して強く上向きに引っ張ることで、前記ボール９２は凹部９３から押し出されてロックが解除され、操作ハンドル８は図示しない付勢手段の上方への付勢力によって使用位置まで上昇する。
あるいは、収納部本体１１の底面をハンドル８の収納位置より更に下方に離間させておくことで、収納位置のハンドル８を強く下に押し込むことで前記保持手段９のロックから外し、付勢手段Ｓの付勢力を高めて、その反発力で使用位置に自動的に戻すなどの構造でもよい。
【００３７】
前記ハンドル８を手動で上向きに引っ張る場合には、ハンドル８の上部に摘みまたは把手Ｈを設けてもよい。
保持手段９には、プランジャのボールと半球状の凹部との組合せに限らず、操作ハンドル収納部１０内に設けられて、ハンドル８の下降時にハンドル８の上昇を拘束する拘束方向に付勢された拘束バー、その他の公知の手段を用いることができる。
【００３８】
なお、回転軸６１と操作ハンドル８の係合受部には、係合受部が所定位置以上に上昇しないように拘束する拘束手段７を設けておけば、操作ハンドル８が付勢力で上昇する際に、所定位置で操作ハンドルの上昇を拘束することができる。
例えば、係合受部の下端が回転軸６１の下部に係合する凸部を有する構造などを設けておけばよい。
【００３９】
上記実施例では、開閉リンク機構５と作動アーム６を別体としたが、作動アーム６が開閉リンク機構５を兼ねるものであってもよいし、作動アーム６が開閉リンク機構５の一部を構成するものであってもよい。
その他この発明は、上記構造に限定されるものではなく、要するに、この発明の要旨を変更しない範囲で種々設計変更することができる。
【００４０】
次に、図１０に異なる構造の操作ハンドル８について説明する。
この操作ハンドル８は、基本構造は前述のラチェット機構を内蔵したものであるが、グリップとなるハンドル８１の構造が異なっている。
即ち、操作ハンドル収納部１０内にはハンドル８１を除き、操作ハンドル８のラチェット機能を有する主要部８２は没入したままとなっている。
ここで上記主要部８２は平面視略円形状となっていることが好ましい。
上記主要部８２に対応する操作ハンドル収納部１０とのクリアランスは、後述のようにハンドルを折り曲げた状態で主要部８２が回転しうるクリアランスが設けられていればよい。
【００４１】
また、前記ハンドル８１は、操作ハンドル収納部１０に設けられた弾性部材で上向きに付勢することが好ましく、その場合も、操作ハンドル収納部１０の側面に前記付勢力に抗してハンドル８１を操作ハンドル収納部１０内に保持するストッパを設けることが好ましい。そこで、ハンドル８１の後方を奥に押し込んでストッパを解除し、弾性部材の付勢力で操作ハンドル収納部１０の上に押し上げるようにすることが好ましい。
【００４２】
そして、操作時には、前記ハンドル８１は、主要部８２との間にヒンジ部を介するなどして、上方に折曲げ可能となっており、ハンドル８１だけが前記収納部１０から突出する。
図示例では、前記ヒンジ部を２個所設けておき、主要部８２から第１関節部８３を直角に折り曲げ、第２関節部８４を水平に折り曲げる。
図示例では、各関節部は９０°折れ曲がる構造となっているが、この発明では操作しやすい任意の角度に折れ曲がるようにしてもよい。
【００４３】
これにより第２関節部８４より後方のハンドルを回して操作することができる。
この実施例では、関節部は１個所だけでもよいし２個所以上の複数個所でもよい。
上記構成の場合、主要部８２と作動アーム６とは、昇降させる必要がなく、一定位置に維持した状態で操作できるので便利である。
【００４４】
次に、網戸２０について説明する。
図１１に示すように、本実施例では、サッシ枠３の下枠３０で、障子枠４のレールより内側（室内側）に網戸２０を固定するための取付溝２５が設けられている。
前記網戸２０は、ネット状の網本体２１の周縁にゴムまたはエラストマーのシール材からなる弾性縁部２２を固定した構造からなっている。
【００４５】
この網戸２０は、弾性縁部２２を前記網戸用の取付溝２５に圧縮した状態で嵌合して固定される。
該網戸２０の弾性縁部２２の室内側の面には、リボン状の網戸取外し片２６の基端が接着されている。
この網戸取外し片２６は、前記取付溝２５からサッシ枠３（図示例では下枠３０）上に突出するので、網戸２０を取り外す際には、上記網戸取外し片２６を引っ張ることで、前記弾性縁部２２の１部を取付溝２５から外すことができ、そこをきっかけとして網戸２０の全周の弾性縁部２２を外して網戸２０を取り外すことができる。
【００４６】
上記網戸取外し片２６がサッシ枠３上に表出していると、網戸取外し片２６が損傷や破断するおそれがあり、また美観上も好ましくない。
そこで、この発明では、サッシ枠３の下枠３０に網戸取外し片２６を収納する取外し片収納部３２が形成される。
【００４７】
この取外し片収納部３２は、下枠３０に網戸取外し片２６の突出部分を収納する空間Ｓを有しており、該空間Ｓの上部には閉じた際に下枠３０と同一面となる開閉自在な外蓋片３５を有している。
即ち、外蓋片３５は、下枠３０に連結する可撓性または弾性を有する連結片３６を介して分離しないように繋がっており、下枠３０の前記空間Ｓの開口縁部に形成された係合段部３３に外蓋片３５の外周縁部３５ａが係合するようになっている（図１２参照）。
【００４８】
図示例では係合段部３３は蟻溝状となっており、外蓋片３５を強く押し込むことで、外蓋片３５が係合段部３３に掛止められる。
外蓋片３５を開く場合は、外蓋片３５を取外し片収納部３２の上面の隙間３７から押し上げて開いて、収納されている網戸取外し片２６を使用することができる。
上記外蓋片３６の取外し片収納部３２への係合や、連結部は公知の構造に置き換えてよい。
【００４９】
そこで、網戸取外し片２６の突出部分を前記空間Ｓに収納し、外蓋片３５を係合段部３３に係合することで、下枠３０上面をフラットに整えることができる。前記空間Ｓは有底であっても無底であってもよい。
本実施例では、取外し片収納部３２はサッシ枠３の下枠３０に配置した例を示したが、左右のサッシ枠のいずれか一方に設けるものでもよい。
【００５０】
これによりサッシ枠に、網戸の取外し片収納部と操作ハンドル収納部とを設ける場合でもサッシ枠はフラットとなり、サッシ枠上も整理され、サッシの美観を向上させることができる。
その他、要するにこの発明は上記実施例に限定されるものではなく、その要旨を変更しない範囲で種々設計変更しうること勿論である。
【００５１】
１    開閉窓
２    窓ガラス
３    サッシ枠（窓枠）
４    障子枠（框）
５    リンク機構
６    作動アーム
７    拘束部材
８    操作ハンドル
８ａ  切替レバー
９    保持手段
１０  収納部
２０  網戸
２１  網本体
２２  弾性縁部
２５  網戸の取付溝
２６  網戸取外し片
３０  サッシ枠の下枠
３０’サッシ枠に固定される基台部
３１  上枠
３２  取外し片収納部
３３  係合段部
３５  外蓋片
３５ａ  外周縁部
３６  連結片
ｓ  ４０  障子枠の下枠
６１  ボルト型回転軸
８０  ラチェット機構
８１  ハンドル
８２  主要部
８３  第１関節部
８４  第２関節部
【図１】
2020007782.tif 000003
【図２】
2020007782.tif 000004
【図３】
2020007782.tif 000005
【図４】
2020007782.tif 000006
【図５】
2020007782.tif 000007
【図６】
2020007782.tif 000008
【図７】
2020007782.tif 000009
【図８】
2020007782.tif 000010
【図９】
2020007782.tif 000011
【図１０】
2020007782.tif 000012
【図１１】
2020007782.tif 000013
【図１２】
2020007782.tif 000014